(57)【要約】 【課題】  本発明は、足部を保温すると共に、通気性が高くムレ難い靴下であって、更に足部を締め付けることがなく、かつ、ずれ落ちにくい構造を有する就寝時の着用に適した靴下を提供することを目的とする。【手段】  足部の立体形状に合わせて裁断した複数枚の布地を、縫合して作成される靴下であって、少なくとも一つの縫合部が踵上に形成されることを特徴とする靴下。【効果】  本発明によれば、足部の保温性が良好であって、踵のホールド性が高いため、就寝時の着用でずれ落ちて脱げてしまうことがない。また、足部を締め付けることがないため、血行不良による冷え性し、快適に睡眠に入ることができる。更に足先に開口部を設けることにより、通気性が改善され、就寝中の足裏の発汗により蒸れ難く、就寝時に着用する靴下として有用である。【選択図】【図１】
2005068588.tif 000002
【特許請求の範囲】
【請求項１】
足部の立体形状に合わせて裁断した複数枚の布地を、縫合して作成される靴下であって、少なくとも一つの縫合部が踵上に形成されることを特徴とする靴下。
【請求項２】
足部側面に縫合部を形成し、踵上に形成した縫合部を当該側面の縫合部と接合させた請求項１記載の靴下。
【請求項３】
踵上に形成した縫合部と当該側面の縫合部とを踝の後方下で接合させ、当該側面の縫合部が踝部分を挟むように形成された請求項１又は２記載の靴下。
【請求項４】
足先に開口部を設けた請求項１〜３記載の靴下。
【請求項５】
保湿性繊維処理剤により処理された請求項１〜４記載の靴下。
【発明の詳細な説明】
【技術分野】
【０００１】
本発明は靴下、詳しくは就寝時の着用に適した靴下に関する。
【背景技術】
【０００２】
冷え性の人は回肢（手足など）が冷たくなりやすく、就寝時に靴下を履いて就寝する人が多い。また、重度の冷え性の人は、靴下を重ねて履いて就寝する場合もある。
最近では、足部の保温性を高めるため、しょうがエキス入り靴下、温泉繊維入り靴下、遠赤外線入り靴下などが販売されている。
【０００３】
しかし、一度眠ってしまえば、冷え性でも就寝中は副交感神経に切り替わり、血管が拡張し、血流が良くなる。そのため、温まった足裏は体温調節の為に発汗作用が高まるが、この時、靴下などで足裏を覆っていると、発汗による体温調節が上手くいかない為さらに大量の汗を出すことになる。そして、汗で湿った靴下は、今度は逆に熱を奪ってしまい、足が冷えてしまう。
そのため、足裏の通気性を高めた靴下が提案されている（特許文献１、２参照）。また、就寝時にずり下げて足袋とすることが可能なレッグウォーマーであって、熱くなって足を外部に出したい時に、容易に足を外部に出すことができるものも提案されている（特許文献３参照）。
【０００４】
【特許文献１】特開２００２−１４６６０２号公報
【特許文献２】特開２００２−３１７３０２号公報
【特許文献３】実用新案登録第３０９９４７８号公報
【発明の開示】
【発明が解決しようとする課題】
【０００５】
しかしながら、冷え性は、血行不良が主な原因であるのに対し、靴下を履くと、足先を締め付ける力が強くなり、血管を圧迫してしまい、足先へ血液が流れにくくなり血行不良を起こしやすく、必ずしも冷え性を改善するものではなかった。
特許文献１では、靴下のゴム部等で足首が締め付けられるため、足首部に面ファスナーやリボンテープ等で接合し、足首部の素材が伸縮しないように縫合した靴下が開示されているが、ファスナーやリボンテープ等での接合部が硬くなり、肌当たりが悪いだけでなく、足を動かすことにより、締め付け位置がずれ、靴下がずれ落ちやすいものであった。
特許文献２、３は、丸編機で連続編成した編地より形成する事を前提としており、当該上側部にずれ止め用収縮部を設けている。丸編機で連続編成した編地より形成した靴下では、収縮部を設ける他には、ずれ落ちを防止することが難しく、収縮部において足部が締め付けられ、血行不良を引き起こしやすいものであった。また、血行不良を改善するために、収縮部の締め付けを弱めると、ずり落ちやすくなり、就寝時に着用しても、自然に脱げてしまうことがあった。
【０００６】
従って、本発明は、足部を保温すると共に、通気性が高く蒸れ難い靴下であって、更に足部を締め付けることがなく、かつ、ずれ落ちにくい構造を有する就寝時の着用に適した靴下を提供することを目的とする。
【課題を解決するための手段】
【０００７】
本発明者は上述した課題を鋭意検討した結果、足部、特に踵の立体形状に合わせて裁断した複数枚の布地を、縫合して作成した靴下を着用した場合においては、収縮部を設けずともずれ落ちが効果的に防止されることを見いだし、本発明を完成するに至った。
【０００８】
すなわち、本発明は、足部の立体形状に合わせて裁断した複数枚の布地を、縫合して作成される靴下であって、少なくとも一つの縫合部が踵上に形成されることを特徴とする靴下に関する。
【０００９】
足部側面に縫合部を形成し、踵上に形成した縫合部を当該側面の縫合部と接合させた上記靴下とすることが好ましく、更に踵上に形成した縫合部と当該側面の縫合部とを踝の後方下で接合させ、当該側面の縫合部が踝部分を挟むように形成された上記靴下であることが好ましい。
【００１０】
また、足先に開口部を設けることが好ましく、更に保湿性繊維処理剤により処理された上記靴下とすることが好ましい。
【発明の効果】
【００１１】
本発明によれば、足部の保温性が良好であって、踵のホールド性が高いため、就寝時の着用でずれ落ちて脱げてしまうことがない。また、足部を締め付けることがないため、血行不良による冷え性し、快適に睡眠に入ることができる。更に足先に開口部を設けることにより、通気性が改善され、就寝中の足裏の発汗により蒸れ難く、就寝時に着用する靴下として有用である。
【発明を実施するための最良の形態】
【００１２】
以下、本発明の実施の形態について詳細に説明する。
【００１３】
本発明の靴下は、足部の立体形状に合わせて裁断した複数枚の布地を、縫合して作成される。ここで、靴下のずれ落ちを防ぐために少なくとも一つの縫合部が踵上に形成されることが必要である。また、足部側面に縫合部を形成し、踵上に形成した縫合部を当該側面の縫合部と接合させることが好ましい。更に踵上に形成した縫合部と当該側面の縫合部とを踝の後方下で接合させ、当該側面の縫合部が踝部分を挟むように形成することが好ましい。
【００１４】
例えば、足前部、足後部、足底部の３つのパーツからなる靴下であって、それぞれの縫合部が、足の側面及び踵に形成され、それら縫合部が踝部分の後方下で接合されており、かつ、当該側面の縫合部が踝部分を挟むように形成されている靴下である。
【００１５】
本発明の靴下は、足部に縫合部による違和感を与えないようにするため、着用時に靴下の外側になる部分に布地の縫い代を設け、靴下外面に縫合部を形成することが好ましい。
【００１６】
本発明の靴下に用いられる布地は、足部に圧迫感を与えないため、低伸縮性のメリヤス編地を用いるのが好ましい。また、布地は、元の布地の長さに対する布地が伸びきった時の長さの比率（以下、引っ張り伸び率と言う。）が、１．１〜１．５の範囲であるものが好ましく、更に１．２〜１．４の範囲にあるものが好ましい。
【００１７】
本発明の靴下に用いられる布地は、足部の保温性を高めるため、発熱性を有する繊維を用いて製造された布地を用いるのが好ましい。例えば、サーモチェンジャー（日清紡社製）、ウェルサーモ（ワコール社製）、サーモキッス（アズ社製）などが挙げられる。
【００１８】
更に、冷え性の人は、足先への血行不良により、新陳代謝が妨げられ、角質化が進んだり、角質層がめくれてがさがさの肌になったり、様々な肌トラブルに悩むケースも多い。そのため、靴下の少なくとも足部に接する部分には、保湿性を向上させるため、ポリグリセリン脂肪酸エステル、水溶性ポリペプチド、植物エキス、セラミド類、天然保湿成分（
ＮＭＦ）、ニコチン酸などを含有する保湿性繊維処理剤により処理を施すのが好ましい。特に、特願２００２−２９４６９５号公報に記載される特定のポリグリセリン脂肪酸エステル含有する繊維処理剤により、処理を施すことが好ましい。
【００１９】
本発明の靴下は、通気性を改善し、蒸れ難くくするために、足先に開口部を設けることが好ましい。更に開口部から足先を靴下の外部に容易に出すことができるように、開口部の大きさを調整する、又は足先部に取り外し可能なカバーを設けることが好ましい。
【実施例】
【００２０】
以下、本発明の実施形態を図面を参照して説明する。
【００２１】
図１は、本発明の実施形態に係る靴下の使用状態を示す側面図である。図２は、本発明の実施形態に係る靴下の足先カバー部５を開いた使用状態を示す側面図である。図３は、本発明の実施形態に係る靴下の使用状態を示す側面図である。図４は、本発明の実施形態に係る靴下（右足用）を折り畳んだ状態の正面図である。図５は、本発明の実施形態に係る靴下（右足用）を折り畳んだ状態の底面図である。
【００２２】
本発明の実施形態に係る靴下は、図１〜５に示されるように足部１と、その開口端上部に縫合部Ｄにより接合された足先カバー部５とから構成される。足部１は、足後部３と足底部４の略円弧状端をお互いに縫合し（縫合部Ｃ）、次にその側部両端と足前部２の側部両端をお互いに縫合する（縫合部Ａ、及び縫合部Ｂ）ことにより作成される。ここで、縫合部Ａ、Ｂ、Ｃの接合部は、図３に示すように足の踝部分１２の後方下に位置し、縫合部Ａ及びＢにより、踝部分を挟むように形成されている。
【００２３】
足前部２は、図４に示すように脛から踝にあたる部分（Ａ）は、中央がくびれた略長方形状をなし、足の踝にあたる部分に膨らみを有し、踵から甲にあたる部分（Ｂ）は略長方形状の布地からなる。足後部３は、図４に示すように脹ら脛から踵にあたる部分（Ａ）の形状に沿って形成した、踵にあたる部分が、略円弧である略長方形状の布地からなる。足底部４は、図４に示すように足裏の形状に沿って形成した、踵にあたる部分が、略円弧である略長方形状の布地からなる。
【００２４】
足先カバー部５は、図４又は図５に示すように、足先の形状に沿って形成した略半円状の２枚の布地を、その円弧状端をお互いに縫合して作成される。また、足先カバー部５は、図２に示すように、足先開口部１１を上部へ引き上げることにより、足先を外部に出すことができる。
【００２５】
尚、以上の説明は右足用の靴下についてのものであるが、右足用の靴下は、右足用の靴下と鏡面対象である。
【００２６】
本発明の実施形態に係る靴下の足部１に用いられる布地は、メリヤス編地であって、引っ張り伸び率が、約１．３のものを用いた。
【００２７】
また、足部１及び足先カバー部５は、特願２００２−２９４６９５号公報に記載される方法により、繊維処理を施してある。
【００２８】
本発明の靴下を就寝時に着用することにより、良好な保温性が得られるとともに、足部を締め付けることがないため、血行不良による冷え性が改善され、快適に睡眠に入ることができる。また、踵のホールド性が高いため、就寝時の着用でずれ落ちて脱げてしまうこともない。
足先に開口部が設けられており、通気性が良好で、足部に不快な蒸れを感じることがな
い。更に使用者が熱く感じる時には、足先開口部から容易に足先を外部に出すことができ、温度調節も簡単に行うことができる。
靴下全体に保湿性繊維処理が施されているため、朝目覚めた時に、足部にしっとり感が強く感じられ、冷え性改善だけでなく、美容面においても優れた特性を示した。
【図面の簡単な説明】
【００２９】
【図１】本発明の実施形態に係る靴下の使用状態を示す斜視図である。
【図２】本発明の実施形態に係る靴下の足先カバー部５を開いた使用状態を示す斜視図である。
【図３】本発明の実施形態に係る靴下の使用状態を示す側面図である。
【図４】本発明の実施形態に係る靴下（右足用）を折り畳んだ状態の正面図である。
【図５】本発明の実施形態に係る靴下（右足用）を折り畳んだ状態の底面図である。
【符号の説明】
【００３０】
１  足部
２  足前部
３  足後部
４  足底部
５  足先カバー部
６  足口部
７  縫合部Ａ
８  縫合部Ｂ
９  縫合部Ｃ
１０  縫合部Ｄ
１１  足先開口部
１２  足の踝部分
【図１】
2005068588.tif 000003
【図２】
2005068588.tif 000004
【図３】
2005068588.tif 000005
【図４】
2005068588.tif 000006
【図５】
2005068588.tif 000007